(57)【要約】【課題】複数サービスが提供される場合において効率的に多重できる上位局、基地局および移動局並びに送信制御方法を提供する。【解決手段】基地局に、ＱｏＳ要求条件に基づいてＱｏＳで識別されるパケットフローを多重するパケットフロー多重手段と、多重されたパケットフロー毎に再送制御を行う再送制御手段とを備えることにより達成される。【選択図】図３
2007214702.tif 000002
【特許請求の範囲】
【請求項１】
パケットフローがＱｏＳで識別され、
ＱｏＳ要求条件に基づいて前記パケットフローを多重するパケットフロー多重手段；
多重化されたパケットフローを送信する送信手段；
を備えることを特徴とする上位局。
【請求項２】
請求項１に記載の上位局において：
前記多重されたパケットフロー毎に再送制御を行う再送制御手段；
を備えることを特徴とする上位局。
【請求項３】
請求項１に記載の上位局において：
前記パケットフロー多重手段は、再送パラメータおよび遅延要求条件のうち少なくとも一方に基づいて、前記パケットフローを多重することを特徴とする上位局。
【請求項４】
パケットフローがＱｏＳで識別され、
ＱｏＳ要求条件に基づいて前記パケットフローを多重するパケットフロー多重手段；
前記多重されたパケットフロー毎に再送制御を行う再送制御手段；
を備えることを特徴とする基地局。
【請求項５】
請求項４に記載の基地局において：
前記パケットフロー多重手段は、再送パラメータおよび遅延要求条件のうち少なくとも一方に基づいて、前記パケットフローを多重することを特徴とする基地局。
【請求項６】
パケットフローがＱｏＳで識別され、
ＱｏＳ要求条件に基づいて多重された前記パケットフローを分離するパケットフロー分離手段；
を備えることを特徴とする移動局。
【請求項７】
請求項６に記載の移動局において：
前記パケットフロー分離手段は、再送パラメータおよび遅延要求条件のうち少なくとも一方に基づいて、前記パケットフローを分離することを特徴とする移動局。
【請求項８】
パケットフローがＱｏＳで識別され、
ＱｏＳ要求条件に基づいて前記パケットフローを多重するパケットフロー多重手段；
前記多重されたパケットフロー毎に再送制御を行う再送制御手段；
を備えることを特徴とする移動局。
【請求項９】
請求項８に記載の基地局において：
前記パケットフロー多重手段は、再送パラメータおよび遅延要求条件のうち少なくとも一方に基づいて、前記パケットフローを多重することを特徴とする移動局。
【請求項１０】
ＱｏＳ要求条件に基づいて、ＱｏＳにより識別されたパケットフローを多重する多重ステップ；
前記多重されたパケットフロー毎に再送制御を行う再送制御ステップ；
を有することを特徴とする送信制御方法。
【発明の詳細な説明】
【技術分野】
【０００１】
本発明は、上位局、基地局および移動局並びに送信制御方法に関する。
【背景技術】
【０００２】
例えば、ＨＳＤＰＡ（ｈｉｇｈ−ｓｐｅｅｄ  ｄｏｗｎｌｉｎｋ  ｐａｃｋｅｔ  ａｃｃｅｓｓ）では、図１に示すようにサービス（ＱｏＳ）毎にベアラサービスが定義される。
【０００３】
また、１つのベアラサービスは１つのＡＲＱ（ａｕｔｏｍａｔｉｃ  ｒｅｐｅａｔ  ｒｅｑｕｅｓｔ）エンティティに対応付けられている。
【０００４】
また、ＨＳＤＰＡでは、ＭＡＣレイヤが提供するＣ／Ｔ多重の機能により、ＱｏＳの要求条件(優先度)の等しいデータフローをひとつのＰｒｉｏｒｉｔｙ  Ｑｕｅｕｅに多重可能である。
【発明の開示】
【発明が解決しようとする課題】
【０００５】
しかしながら、上述した背景技術には以下の問題がある。
【０００６】
複数のサービスが提供される場合に、サービス追加に伴い、同じＱｏＳのサービスであってもＡＲＱ  エンティティが増加する。このため、エンティティの追加設定に伴うシグナリングが増加する問題がある。
【０００７】
そこで、本発明は、上述した問題を解決するためになされたものであり、複数サービスが提供される場合において効率的に多重できる上位局、基地局および移動局並びに送信制御方法を提供することにある。
【課題を解決するための手段】
【０００８】
上記課題を解決するため、本発明の上位局は、パケットフローがＱｏＳで識別され、ＱｏＳ要求条件に基づいて前記パケットフローを多重するパケットフロー多重手段と、多重化されたパケットフローを送信する送信手段とを備えることを特徴の１つとする。
【０００９】
このようにすることにより、最初のフローが設定される場合に、多重後のフローとＡＲＱエンティティとの対応関係の設定を行うことができる。
【００１０】
また、本発明にかかる基地局は、パケットフローがＱｏＳで識別され、ＱｏＳ要求条件に基づいて前記パケットフローを多重するパケットフロー多重手段と、前記多重されたパケットフロー毎に再送制御を行う再送制御手段とを備えることを特徴の１つとする。
【００１１】
このようにすることにより、最初のフローが設定される場合に、多重後のフローとＡＲＱエンティティとの対応関係の設定を行うことができる。
【００１２】
また、本発明にかかる移動局は、パケットフローがＱｏＳで識別され、ＱｏＳ要求条件に基づいて多重された前記パケットフローを分離するパケットフロー分離手段を備えることを特徴の１つとする。
【００１３】
このように構成することにより、同一のＱｏＳ要求条件をもつ複数のパケットフローを分離できる。
【００１４】
また、本発明にかかる移動局は、パケットフローがＱｏＳで識別され、ＱｏＳ要求条件に基づいて前記パケットフローを多重するパケットフロー多重手段と、前記多重されたパケットフロー毎に再送制御を行う再送制御手段とを備えることを特徴の１つとする。
【００１５】
このようにすることにより、最初のフローが設定される場合に、多重後のフローとＡＲＱエンティティとの対応関係の設定を行うことができる。
【００１６】
また、本発明にかかる送信制御方法は、ＱｏＳ要求条件に基づいて、ＱｏＳにより識別されたパケットフローを多重する多重ステップと、多重されたパケットフロー毎に再送制御を行う再送制御ステップとを有することを特徴の１つとする。
【００１７】
このようにすることにより、最初のフローが設定される場合に、多重後のフローとＡＲＱエンティティとの対応関係の設定を行うことができる。
【発明の効果】
【００１８】
本発明の実施例によれば、複数サービスが提供される場合において効率的に多重できる上位局、基地局および移動局並びに送信制御方法を実現できる。
【発明を実施するための最良の形態】
【００１９】
次に、本発明を実施するための最良の形態を、以下の実施例に基づき図面を参照しつつ説明する。
なお、実施例を説明するための全図において、同一機能を有するものは同一符号を用い、繰り返しの説明は省略する。
【００２０】
本発明の実施例にかかる無線通信システムは、移動局と、基地局と、上位局とを備える。
【００２１】
次に、本実施例にかかる移動局について、図２を参照して説明する。
【００２２】
本実施例にかかる移動局１００は、物理リソースブロック（物理チャネル）毎に受信信号が入力される物理チャネル処理部１１８と、物理チャネル処理部１１８と接続されたＨＡＲＱ処理部１１６（１１６１、・・・、１１６ｌ）と、ＨＡＲＱ処理部１１６の出力信号が入力される優先度キュー分離部１１４と、優先度キュー分離部１１４の出力信号が入力される順序補償バッファ１１２（１１２１、・・・、１１２ｋ）と、順序補償バッファ１１２の出力信号が入力されるＡＲＱフロー分離部１１０と、ＡＲＱフロー分離部１１０の出力信号が入力される（上位）ＡＲＱ１０８（１０８１、・・・、１０８ｊ）と、（上位）ＡＲＱ１０８の出力信号が入力されるパケットフロー分離手段としてのＱｏＳフロー分離部１０６と、ＱｏＳフロー分離部１０６の出力信号が入力される秘匿解除部１０４（１０４１、・・・、１０４ｍ）と、秘匿解除部１０４の出力信号が入力されるヘッダ解凍部１０２（１０２１、・・・１０２ｎ）とを備える。ここで、ｎ、ｍ、ｊ、ｋおよびｌは、０以上の整数である。
【００２３】
基地局２００から送信データは、移動局１００に受信され、物理チャネル処理部１１８に入力される。
【００２４】
物理チャネル処理部１１８は、物理チャネルから送信データのデマッピング処理を行う。物理チャネル処理部１１８は、デマッピングされた送信データをトランスポートチャネルから分離し、ＨＡＲＱ処理部１１６に入力する。ＨＡＲＱ処理部１１６は、入力された送信データに対してＨＡＲＱ処理を行い、優先度キュー分離部１１４に入力する。優先度キュー分離部１１４は、キューの優先度に応じてキューを分離し、キュー毎に順序補償バッファ１１２に入力する。
【００２５】
順序補償バッファ１１２は、ＨＡＲＱ処理が行われた送信データをＡＲＱフロー分離部１１０に入力する。
【００２６】
ＡＲＱフロー分離部１１０は、ＨＡＲＱ処理が行われたパケットフローを分離し、ＨＡＲＱ毎に割り当て、上位ＡＲＱ１０８に入力する。
【００２７】
上位ＡＲＱ１０８は、分離処理された同一のＱｏＳ要求条件を有する複数のパケットフローに対してＡＲＱ処理を行い、ＱｏＳフロー分離部１０６に入力する。
【００２８】
ＱｏＳフロー分離部１０６は、同一のＱｏＳ要求条件を有する複数のパケットフローを分離し、秘匿解除部１０４に入力する。
【００２９】
秘匿解除部１０４は、分離されたパケットフローに対して秘匿解除処理を行い、ヘッダ解凍部１０２に入力する。また、秘匿解除部１０４は、非アクセス層制御信号を出力する。
【００３０】
ヘッダ解凍部１０２は、秘匿解除処理が行われたパケットフローに対して、ヘッダ解凍処理を行い、ＱｏＳの識別されたパケットフローを出力する。
【００３１】
次に、本実施例にかかる基地局（ｅＮｏｄｅＢ）２００および上位局（ａＧＷ）３００について、図３を参照して説明する。
【００３２】
本実施例にかかる基地局２００は、上位ＡＲＱ２０８（２０８１、・・・、２０８ｊ）と、上位ＡＲＱ２０８の出力信号が入力されるＡＲＱ多重部２１０と、ＡＲＱ多重部２１０の出力信号が入力される優先度キュー２１２（２１２１、・・・、２１２ｋ）と、優先度キュー２１２の出力信号が入力される優先度キュー多重部２１４と、優先度キュー多重部２１４の出力信号が入力されるＨＡＲＱ処理部２１６（２１６１、・・・、２１６ｌ）と、ＨＡＲＱ処理部２１６の出力信号が入力される物理チャネル処理部２１８とを備える。ここで、ｊ、ｋおよびｌは、０以上の整数である。
【００３３】
フレームプロトコル（ＦＰ）上に多重後のフローに対応する識別子、すなわち上位ＡＲＱエンティティに対応する識別子が付与されたパケットフローが、上位局３００から送信され、基地局２００の上位ＡＲＱ２０８に受信される。
【００３４】
上位ＡＲＱ２０８は、多重化処理された同一のＱｏＳ要求条件を有する複数のパケットフローに対してＡＲＱ処理を行い、ＡＲＱフロー多重部２１０に入力する。
【００３５】
ＡＲＱフロー多重部２１０は、優先度に応じて、ＡＲＱ処理が行われたパケットフローを優先度キュー２１２に割り当てる。
【００３６】
優先度キュー２１２は、ＡＲＱフロー多重部２１０において割り当てが行われたＡＲＱ処理が行われたパケットフローを、優先度キュー多重部２１４に入力する。
【００３７】
優先度キュー多重部２１４は、ＨＡＲＱに応じて、ＡＲＱ処理が行われたパケットフローをＨＡＲＱ処理部２１６に割り当てる。
【００３８】
ＨＡＲＱ処理部２１６は、割り当てられたＡＲＱ処理が行われたパケットフローをトランスポートチャネルに多重し、物理チャネル処理部２１８に入力する。
【００３９】
物理チャネル処理部２１８は、物理チャネルにマッピングする。
【００４０】
その結果、物理リソースブロック（周波数ブロック）により、データが伝送される。
【００４１】
次に、本実施例にかかる上位局３００について説明する。上位局３００は、複数のパケットフローの多重を実施する。また、上位局３００は、最初のフローが設定される場合に、多重後のフローとＡＲＱエンティティとの対応関係の設定を行う。
【００４２】
上位局３００は、ヘッダ圧縮部３０２（３０２１、・・・３０２ｎ）と、ヘッダ圧縮部３０２の出力信号が入力される秘匿処理部３０４（３０４１、・・・、３０４ｍ−１）と、非アクセス層制御信号が入力される秘匿処理部３０４（３０４ｍ）と、秘匿処理部３０４の出力信号が入力されるパケットフロー多重手段としてのＱｏＳ多重部３０６と、ベアラサービス制御信号が入力されるベアラ制御部３０８とを備える。ここで、ｎおよびｍは、０以上の整数である。
【００４３】
ＱｏＳの識別されたパケットフローは、例えば識別されたＱｏＳ毎に異なるヘッダ圧縮部３０２に入力される。ヘッダ圧縮部３０２は、入力されたパケットフローに対してヘッダ圧縮処理を行い、秘匿処理部３０４に入力する。
【００４４】
秘匿処理部３０４は、ヘッダ圧縮処理が行われたパケットフローに対して秘匿処理を行い、ＱｏＳ多重部３０６に入力する。
【００４５】
一方、非アクセス層制御信号は、秘匿処理部３０４に入力される。秘匿処理部３０４は、非アクセス層制御信号に対して秘匿処理を行い、ＱｏＳ多重部３０６に入力する。
【００４６】
ＱｏＳ多重部３０６は、秘匿処理が行われたパケットフローに対して、同一のＱｏＳ要求条件、例えば再送パラメータ、遅延要求条件などを有する複数のパケットフローを多重して、上位再送制御エンティティに割り当てる処理を行う。例えば、ＱｏＳ多重部３０６は、ベアラサービスＩＤをＦＰ上で伝送されるパケットヘッダに付与する。ＱｏＳ多重部３０６は、上位再送制御エンティティの割り当て毎に、各上位ＡＲＱ１０８に送信する。この場合、ＱｏＳ多重部２０６は、フローを識別する識別子を上位ＡＲＱ  ＳＤＵに含めるようにしてもよい。
【００４７】
次に、本実施例にかかる無線通信システムにおける送信制御処理について、図４を参照して説明する。
【００４８】
上位局３００に、ベアラサービスの追加要求が発生する。具体的には、ベアラサービス制御信号がベアラ制御部３０８に入力される。上位局３００では、ベアラ制御部３０８において、ベアラＩＤの設定が行われる（ステップＳ４０２）。また、ベアラ制御部３０８は、新規データフロー追加要求を、基地局２００を介して移動局１００に送信する（ステップＳ４０４）。上位局３００では、ヘッダ圧縮部３０２および秘匿処理部３０４において、追加ベアラサービス用ヘッダ圧縮および秘匿エンティティの生成を行う（ステップＳ４０６）
移動局１００では、ベアラ制御部１２０において、上位局３００からの新規データフロー追加要求に対して、ベアラＩＤの設定が行われる。また、ベアラ制御部１２０は、追加ベアラサービス用ヘッダ圧縮および秘匿エンティティの生成を行う（ステップＳ４０８）。ベアラ制御部１２０は、基地局２００を介して、上位局３００に対して、新規データフロー追加応答を行う（ステップＳ４１０）。
【００４９】
次に、上位局３００では、ＱｏＳ多重部３０６において、追加データフローのパケットヘッダにベアラＩＤの付与が行われる（ステップＳ４１２）。上位局３００は、基地局２００に新規データフローの送信を開始する（ステップＳ４１４）。
【００５０】
基地局２００は、対応するＡＲＱエンティティからデータを送信する（ステップＳ４１６、ステップＳ４１８）。多重されたフローと対応するＡＲＱエンティティとの関係は、上位局３００と基地局２００との間で設定されている。
【００５１】
移動局１００では、ＱｏＳフロー分離部１０６において、ベアラＩＤに基づいて、データフローを分離する（ステップＳ４２０）。
【００５２】
次に、本発明の他の実施例にかかる無線通信システムについて説明する。本実施例にかかる無線通信システムは、基地局および上位局の構成が上述した実施例にかかる無線通信システムと異なる。
【００５３】
本実施例にかかる基地局（ｅＮｏｄｅＢ）および上位局（ａＧＷ）について、図５を参照して説明する。
【００５４】
本実施例にかかる基地局２００は、複数のパケットフローの多重を行う。また、基地局２００は、最初のフローが設定される場合に、多重後のフローとＡＲＱエンティティとの対応関係の設定を行う。
【００５５】
基地局２００は、ＦＰ処理部２１２（２１２１、・・・、２１２ｍ）と、ＦＰ処理部２１２の出力信号が入力されるパケットフロー多重手段としてのＱｏＳ多重部２０６と、ＱｏＳ多重部２０６の出力信号が入力される（上位）ＡＲＱ２０８（２０８１、・・・、２０８ｊ）と、（上位）ＡＲＱ２０８の出力信号が入力されるＡＲＱ多重部２１０と、ＡＲＱ多重部２１０の出力信号が入力される優先度キュー２１２（２１２１、・・・、２１２ｋ）と、優先度キュー２１２の出力信号が入力される優先度キュー多重部２１４と、優先度キュー多重部２１４の出力信号が入力されるＨＡＲＱ処理部２１６（２１６１、・・・、２１６ｌ）と、ＨＡＲＱ処理部２１６の出力信号が入力される物理チャネル処理部２１８とを備える。ここで、ｍ、ｊ、ｋおよびｌは、０以上の整数である。
【００５６】
ベアラサービスＩＤがパケットヘッダに付与されたパケットフローが、上位局３００から送信され、基地局２００に受信されＦＰ処理部２１２に入力される。
【００５７】
ＦＰ処理部２１２は、フレームプロトコルに関する処理を行い、ＱｏＳ多重部２０６に入力される。
【００５８】
ＱｏＳ多重部２０６は、入力されたパケットフローにおいて、各パケットのヘッダに付与されたベアラサービスＩＤに基づいて、対応するＡＲＱエンティティに多重する。すなわち、ＱｏＳ多重部２０６は、同一ＱｏＳ要求条件、例えば、再送パラメータ、遅延要求条件などを有する複数のパケットフローを多重して、１つの上位再送制御（ＡＲＱ）エンティティに割り当てる。例えば、ＱｏＳ多重部２０６は、基地局２００における多重ポイントにおいて、ベアラサービスＩＤに基づいて、対応するＡＲＱエンティティに多重する。ＱｏＳ多重部２０６は、上位再送制御エンティティの割り当て毎に、各上位ＡＲＱ２０８に入力する。この場合、ＱｏＳ多重部２０６は、フローを識別する識別子を上位ＡＲＱ  ＳＤＵに含めるようにしてもよい。
【００５９】
上位ＡＲＱ２０８は、多重化処理された同一のＱｏＳ要求条件を有する複数のパケットフローに対してＡＲＱ処理を行い、ＡＲＱフロー多重部２１０に入力する。
【００６０】
ＡＲＱ多重部２１０は、優先度に応じて、ＡＲＱ処理が行われたパケットフローを優先度キュー２１２に割り当てる。
【００６１】
優先度キュー２１２は、ＡＲＱ多重部２１０において割り当てが行われたＡＲＱ処理が行われたパケットフローを、優先度キュー多重部２１４に入力する。
【００６２】
優先度キュー多重部２１４は、ＨＡＲＱに応じて、ＡＲＱ処理が行われたパケットフローをＨＡＲＱ処理部２１６に割り当てる。
【００６３】
ＨＡＲＱ処理部２１６は、割り当てられたＡＲＱ処理が行われたパケットフローをトランスポートチャネルに多重し、物理チャネル処理部２１８に入力する。
【００６４】
物理チャネル処理部２１８は、物理チャネルにマッピングする。
【００６５】
その結果、物理リソースブロック（周波数ブロック）により、データが伝送される。
【００６６】
次に、本実施例にかかる上位局３００について説明する。上位局３００は、ベアラサービスＩＤをパケットヘッダに付与する。
【００６７】
本実施例にかかる上位局３００は、ＱｏＳの識別されたパケットフローが入力されるヘッダ圧縮部３０２（３０２１、・・・、３０２ｎ）と、ヘッダ圧縮部３０２の出力信号または非アクセス層制御信号が入力される秘匿処理部３０４（３０４１、・・・、３０４ｍ）と、秘匿処理部３０４と接続されたＦＰ処理部３１２（３１２１、・・・、３１２ｍ）とを備える。ここで、ｎおよびｍは、０以上の整数である。
【００６８】
ＱｏＳの識別されたパケットフローは、例えば識別されたＱｏＳ毎に異なるヘッダ圧縮部３０２に入力される。ヘッダ圧縮部３０２は、入力されたパケットフローに対してヘッダ圧縮処理を行い、秘匿処理部３０４に入力する。
【００６９】
秘匿処理部３０４は、ヘッダ圧縮処理が行われたパケットフローに対して秘匿処理を行い、ＦＰ処理部３１２に入力する。
【００７０】
ＦＰ処理部３１２は、秘匿処理が行われたパケットフローに対して、ベアラサービスＩＤをパケットヘッダに付与する。例えば、ＦＰ処理部３１２は、ベアラサービスＩＤをパケットヘッダに付与する。その結果、ベアラサービスＩＤがパケットヘッダに付与されたパケットフローが基地局２００に送信される。
【００７１】
次に、本実施例にかかる無線通信システムにおける送信制御処理について、図６を参照して説明する。
【００７２】
上位局３００に、ベアラサービスの追加要求が発生する。具体的には、ベアラサービス制御信号がベアラ制御部３０８に入力される。上位局３００では、ベアラ制御部３０８において、ベアラＩＤの設定が行われる（ステップＳ６０２）。また、ベアラ制御部３０８は、新規データフロー追加要求を、基地局２００を介して移動局１００に送信する（ステップＳ６０４）。上位局３００では、ヘッダ圧縮部３０２および秘匿処理部３０４において、追加ベアラサービス用ヘッダ圧縮および秘匿エンティティの生成を行う（ステップＳ６０６）
移動局１００では、ベアラ制御部１２０において、上位局３００からの新規データフロー追加要求に対して、ベアラＩＤの設定が行われる。また、ベアラ制御部１２０は、追加ベアラサービス用ヘッダ圧縮および秘匿エンティティの生成を行う（ステップＳ６０８）。ベアラ制御部１２０は、基地局２００を介して、上位局３００に対して、新規データフロー追加応答を行う（ステップＳ６１０）。
【００７３】
次に、上位局３００では、ＱｏＳ多重部３０６において、追加データフローのＦＰヘッダにベアラＩＤの付与が行われる（ステップＳ６１２）。上位局３００は、基地局２００に新規データフローの送信を開始する（ステップＳ６１４）。
【００７４】
基地局２００では、ＱｏＳ多重部２０６において、ＦＰのベアラＩＤに基づいて、データパケットのヘッダにベアラＩＤを付与し、既存のＡＲＱエンティティに多重する（ステップＳ６１６）。多重するフローと対応するＡＲＱエンティティとの関係は基地局２００において既知である。基地局２００は、ＡＲＱエンティティに多重されたデータパケットを送信する（ステップＳ６１８）。
【００７５】
移動局１００では、ＱｏＳフロー分離部１０６において、ベアラＩＤに基づいて、データフローを分離する（ステップＳ６２０）。
【００７６】
上述した実施例においては、上位局の機能と基地局の機能に分けて説明したが、例えば上位局の機能として実現してもよいし、基地局の機能として実現してもよい。
【００７７】
また、上述した実施例においては、下りリンクの場合について説明したが、上りリンクの場合にも適用できる。この場合、移動局は、図３を参照して説明した上位局および基地局の機能を備える。
【００７８】
上述した実施例によれば、複数のサービスが提供される場合において、効率的に多重することができる。
【００７９】
また、複数のサービスが提供される場合において、ＡＲＱエンティティ数を削減することができる。
【００８０】
また、サービスが追加される場合において、ベアラサービスのコンフィグレーションの簡略化を図ることができる。
【産業上の利用可能性】
【００８１】
本発明にかかる上位局、基地局および移動局並びに送信制御方法は、無線通信システムに適用できる。
【図面の簡単な説明】
【００８２】
【図１】従来の多重方法を示す説明図である。
【図２】本発明の一実施例にかかる移動局を示す部分ブロック図である。
【図３】本発明の一実施例にかかる基地局および上位局を示す部分ブロック図である。
【図４】本発明の一実施例にかかる無線通信システムの動作を示すフロー図である。
【図５】本発明の一実施例にかかる基地局および上位局を示す部分ブロック図である。
【図６】本発明の一実施例にかかる無線通信システムの動作を示すフロー図である。
【符号の説明】
【００８３】
１００  移動局
２００  基地局
３００  上位局
【図１】
2007214702.tif 000003
【図２】
2007214702.tif 000004
【図３】
2007214702.tif 000005
【図４】
2007214702.tif 000006
【図５】
2007214702.tif 000007
【図６】
2007214702.tif 000008